(57)【特許請求の範囲】
【請求項１】
略直方体に形成された器体と、前記器体に収納されるとともに電線と電気的に導通される第１端子板及び第２端子板及び第３端子板と、前記第３端子板と接触するとともに前記第３端子板と前記第１端子板及び前記第２端子板とを電気的に導通または遮断する開閉素子とを備えるスイッチ装置において、
前記第１端子板及び前記第２端子板は、前記器体の短手方向に配列され、前記第３端子板は、前記第１端子板及び前記第２端子板に対して前記器体の長手方向に配列され、
前記第１端子板は、金属板をプレス加工することにより成形され、
前記第１端子板には、前記短手方向及び前記長手方向の両方に垂直な方向である上下方向に延びるとともに前記電線と接触する電線接続部と、この電線接続部の前記上下方向の上方の端部から屈曲して前記長手方向に向かい伸びる上部延長部と、この上部延長部の前記短手方向の外方の側縁から屈曲して前記上下方向の下方に延びる略Ｌ字形状の腕部と、この腕部の前記長手方向の端部から屈曲して前記短手方向の内方に向かい延びる接点部とが設けられ、
当該スイッチ装置は、ＢＳ規格にて規定されたスイッチボックスに収納され、
前記スイッチボックスは、前記上下方向の上方が開口する箱状に形成されるとともに、このスイッチボックスを構成する側壁部に同スイッチボックスが被取付体に取り付けるための取付部が同側壁部から内部に向かい突出するように設けられ、
前記器体において前記取付部と対応する箇所には、凹部が設けられる
ことを特徴とするスイッチ装置。
【請求項２】
請求項１に記載のスイッチ装置において、
当該スイッチ装置には、押操作により前記開閉素子を作動させるハンドルとこのハンドルを前記上下方向の上方から覆うハンドルカバーとが設けられ、
当該スイッチ装置が前記スイッチボックスに収納された状態において、前記ハンドルカバーが前記取付部より前記上下方向の上方となるように設定される
ことを特徴とするスイッチ装置。
【請求項３】
請求項１又は請求項２に記載のスイッチ装置において、
前記上部延長部の短手方向の外方には、短手方向の内方に向かい凹む切欠部が設けられ、
前記腕部は前記切欠部の側縁から折り曲げられ、
前記腕部は、前記上部延長部の最も短手方向の外方の位置と略同位置に設けられる
ことを特徴とするスイッチ装置。
【請求項４】
請求項１〜３のいずれか一項に記載のスイッチ装置において、
当該スイッチ装置には、前記電線接続部が取り付けられるとともに金属板を折り曲げることにより上下方向に貫通した角柱状に形成されるピラー端子が別部材として設けられ、
前記第１端子の板厚は、前記ピラー端子の板厚よりも薄い
ことを特徴とするスイッチ装置。
【発明の詳細な説明】
【技術分野】
【０００１】
本発明は、略長方形状の器体に第１端子板及び第２端子板及び第３端子板が収納されるスイッチ装置に関する。
【背景技術】
【０００２】
上記スイッチ装置では、箱体のスイッチ本体部内に収納される複数の端子板及び端子板の間に配置された開閉素子の開閉動作により端子板間の電気的導通及び遮断が切り替えられる（例えば、特許文献１参照）
図８を参照して、従来のスイッチ装置のボディと端子板との収納構造について説明する。なお以降の説明では、ボディの短手方向を前後方向とし、ボディの長手方向を左右方向として説明する。
【０００３】
図８に示すように、ボディ１００は、上方が開口した略直方体の箱状に形成されるとともに、その内部に第１端子板１１０〜第３端子板１３０が収納されている。第１端子板１１０及び第２端子板１２０は前後方向に離間して配置され、第３端子板１３０は第１端子板１１０及び第２端子板１２０に対して左右方向に離間して配置されている。
【０００４】
第１端子板１１０には、電線が接続するピラー端子部１１１と、このピラー端子部１１１の上端部から左右方向に延びる上部延長部１１２と、上部延長部１１２の左右方向の端部から前後方向に延びるとともに開閉素子（不図示）と接触する接点部１１３とが設けられている。また上部延長部１１２の前後方向の側縁には、この上部延長部１１２から前後方向の外方に延びる２つの位置決め部１１４が設けられている。これら位置決め部１１４がボディ１００に設けられた突部１０１と係合することにより、ボディ１００に対して第１端子板１１０が左右方向に移動することを規制している。
【先行技術文献】
【特許文献】
【０００５】
【特許文献１】特開平１１−８６６８２号公報
【発明の概要】
【発明が解決しようとする課題】
【０００６】
ところで、従来からスイッチ装置では、スイッチ装置の前後方向の小型化が求められている。特に図９に示すように、ＢＳ規格によって規格化されたスイッチボックス（以下、「ＢＳボックス１４０」）に上記構造を有するスイッチ装置ＡＲを前後方向に２個配列した状態にて収納する場合には、スイッチ装置ＡＲとＢＳボックス１４０を壁部等の被取付部に取り付けるための取付部１４１とが干渉してしまう。したがって、上記干渉を回避するために取付部１４１を折り曲げる作業が必要となり、作業が煩雑であった。
【０００７】
スイッチ装置ＡＲの前後方向に小型化する方法として、第１端子板１１０と第２端子板１２０との前後方向の間の距離を小さくすることが考えられる。しかしながら、上部延長部１１２の板厚方向が前後方向及び左右方向の両方に直交する方向である上下方向と一致しているため、上部延長部１１２の前後方向の幅が大きくなってしまう。したがって、従来構造では、上記距離を第１端子板１１０と第２端子板１２０とが短絡しない程度に確保するようにボディ１００の前後方向の幅を形成していた。そこで、スイッチ装置ＡＲの前後方向の小型化を図るために、ボディ１００の前後方向の幅を小さくする場合、上記距離が小さくなってしまう。その結果、第１端子板１１０と第２端子板１２０との必要な絶縁距離を確保できず、第１端子板１１０と第２端子板１２０との間にて短絡が発生してしまう可能性があった。
【０００８】
本発明は、上記実情に鑑みてなされたものであり、その目的とするところは、スイッチ装置の前後方向の小型化を図ることと第１端子板と第２端子板との距離を確保することとを両立したスイッチ装置を提供することにある。
【課題を解決するための手段】
【０００９】
以下、上記目的を達成するための手段及びその作用効果について記載する。
（１）請求項１に記載の発明は、略直方体に形成された器体と、前記器体に収納されるとともに電線と電気的に導通される第１端子板及び第２端子板及び第３端子板と、前記第３端子板と接触するとともに前記第３端子板と前記第１端子板及び前記第２端子板とを電気的に導通または遮断する開閉素子とを備えるスイッチ装置において、前記第１端子板及び前記第２端子板は、前記器体の短手方向に配列され、前記第３端子板は、前記第１端子板及び前記第２端子板に対して前記器体の長手方向に配列され、前記第１端子板は、金属板をプレス加工することにより成形され、前記第１端子板には、前記短手方向及び前記長手方向の両方に垂直な方向である上下方向に延びるとともに前記電線と接触する電線接続部と、この電線接続部の前記上下方向の上方の端部から屈曲して前記長手方向に向かい伸びる上部延長部と、この上部延長部の前記短手方向の外方の側縁から屈曲して前記上下方向の下方に延びる略Ｌ字形状の腕部と、この腕部の前記長手方向の端部から屈曲して前記短手方向の内方に向かい延びる接点部とが設けられ、当該スイッチ装置は、ＢＳ規格にて規定されたスイッチボックスに収納され、前記スイッチボックスは、前記上下方向の上方が開口する箱状に形成されるとともに、このスイッチボックスを構成する側壁部に同スイッチボックスが被取付体に取り付けるための取付部が同側壁部から内部に向かい突出するように設けられ、前記器体において前記取付部と対応する箇所には、凹部が設けられることを要旨とする。
【００１０】
この発明によれば、第１端子の腕部の板厚方向が短手方向と一致すること、及び腕部が上部延長部の短手方向の外方の側縁から屈曲することにより、従来構造と比較して、スイッチ装置の短手方向の小型化を図ったとしても第１端子板と第２端子との短手方向の距離を確保することができる。したがって、スイッチ装置の短手方向の小型化を図ること及び上記距離の確保との両立を図ることができる。
【００１２】
この発明によれば、凹部により取付部とスイッチ装置との干渉を回避することが可能となるため、従来構造では必要であったスイッチボックスの取付部を折り曲げる作業を省略することができる。したがって、スイッチボックスに容易にスイッチ装置を収納することができる。
【００１３】
（２）請求項２に記載の発明は、請求項１に記載のスイッチ装置において、当該スイッチ装置には、押操作により前記開閉素子を作動させるハンドルとこのハンドルを前記上下方向の上方から覆うハンドルカバーとが設けられ、当該スイッチ装置が前記スイッチボックスに収納された状態において、前記ハンドルカバーが前記取付部より前記上下方向の上方となるように設定されることを要旨とする。
【００１４】
この発明によれば、スイッチ装置をスイッチボックスに収納した状態において、ハンドルカバーが取付部より上下方向の上方に位置するため、ハンドルカバーに取付部との干渉を回避するための凹部を設けることを省略することができる。したがって、ハンドルカバーの美観の低下を抑制することができるため、スイッチ装置の美観の低下を抑制することができる。
【００１５】
（３）請求項３に記載の発明は、請求項１又は請求項２に記載のスイッチ装置において、前記上部延長部の短手方向の外方には、短手方向の内方に向かい凹む切欠部が設けられ、前記腕部は前記切欠部の側縁から折り曲げられ、前記腕部は、前記上部延長部の最も短手方向の外方の位置と略同位置に設けられることを要旨とする。
【００１６】
この発明によれば、上部延長部に切欠部が設けられるとともに、腕部が上部延長部の短手方向の最外部と略同位置に設けられるため、第１端子の短手方向の小型化を図ることと第２端子との距離の確保との両立を効率よく達成することができる。
【００１７】
（４）請求項４に記載の発明は、請求項１〜３のいずれか一項に記載のスイッチ装置において、当該スイッチ装置には、前記電線接続部が取り付けられるとともに金属板を折り曲げることにより上下方向に貫通した角柱状に形成されるピラー端子が別部材として設けられ、前記第１端子の板厚は、前記ピラー端子の板厚よりも薄いことを要旨とする。
【００１８】
この発明によれば、第１端子がピラー端子よりも板厚が薄い金属板にて構成されることにより、ピラー端子と比較して第１端子をプレス加工にて成形しやすくなる。したがって、第１端子を複雑な形状に成形することが容易に行うことができる。
【発明の効果】
【００１９】
本発明によれば、スイッチ装置の前後方向の小型化を図ることと第１端子板と第２端子板との距離を確保することとを両立したスイッチ装置を提供することができる。
【図面の簡単な説明】
【００２０】
【図１】本発明のスイッチ装置を具体化した実施形態について、同装置の分解斜視構造を示す斜視図。
【図２】同実施形態の第１端子板について、（ａ）同端子板の斜視構造を示す斜視図、（ｂ）同端子板の正面構造を示す平面図、（ｃ）同端子板の側面構造を示す平面図。
【図３】同実施形態のスイッチ装置の第２端子板について、（ａ）同端子板の斜視構造を示す斜視図、（ｂ）同端子板の正面構造を示す平面図。
【図４】同実施形態のボディについて、（ａ）ボディの上方から見た斜視構造を示す斜視図、（ｂ）ボディの（ａ）とは異なる方向から見た斜視構造を示す斜視図。
【図５】同実施形態のボディに第１端子〜第３端子を収納した状態について、（ａ）ボディの上方から見た斜視構造を示す斜視図、（ｂ）ボディの（ａ）とは異なる方向から見た斜視構造を示す斜視図、（ｃ）ボディの上方から見た上面構造を示す平面図。
【図６】同実施形態のスイッチ装置の断面構造について、（ａ）同装置の第２端子と第３端子とが導通する状態の断面構造を示す断面図、（ｂ）同装置の第１端子と第３端子とが導通する状態の断面構造を示す断面図。
【図７】同実施形態のスイッチ装置とＢＳボックスとの配置関係について、（ａ）ＢＳボックスにスイッチ装置を収納する前の状態の斜視構造を示す斜視図、（ｂ）ＢＳボックスにスイッチ装置を収納した後の状態の斜視構造を示す斜視図。
【図８】従来のスイッチ装置について、ボディに第１端子〜第３端子を収納した状態の上面構造を示す平面図。
【図９】従来のスイッチ装置とＢＳボックスとの配置関係について、ＢＳボックスにスイッチ装置を収納した状態の斜視構造を示す斜視図。
【発明を実施するための形態】
【００２１】
図１〜図７を参照して、本発明のスイッチ装置を３路スイッチのスイッチ装置として具体化した一実施形態について説明する。
図１に示すように、スイッチ装置Ａは、略直方体の箱状に形成された器体１と、器体１に収納される端子部２と、端子部２の電力供給の状態を押操作により切り替える操作部３とにより構成されている。
【００２２】
以降では、器体１の長手方向に沿った方向を「左右方向」とし、器体１の短手方向に沿った方向を「前後方向」とし、左右方向及び前後方向に垂直な方向を「上下方向」とする。左右方向及び前後方向において器体１の内部に向かう方向を「内方」とし、器体１より外部に向かう方向を「外方」とする。また上下方向において、操作部３が配置される側を「上方」とする。
【００２３】
器体１は、電線が挿通される電線挿通孔（不図示）が３個設けられるとともに端子部２が収納されるボディ１０と、このボディ１０に取り付けられるカバー１１とにより構成されている。
【００２４】
端子部２は、各電線挿通孔に挿入された電線とそれぞれ接続する第１端子２Ａ〜第３端子２Ｃとにより構成されている。第１端子２Ａには、電線と接続する第１端子板２０と、この第１端子板２０が取り付けられる第１ピラー端子２１と、第１ピラー端子２１に螺合する第１ねじ部材２２とが設けられている。第２端子２Ｂも同様に第２端子板２３、第２ピラー端子２４及び第２ねじ部材２５が設けられている。また第３端子２Ｃも同様に第３端子板２６、第３ピラー端子２７及び第３ねじ部材２８が設けられている。ここで、第１ピラー端子２１、第２ピラー端子２４及び第３ピラー端子２７は互いに略同一形状であり、第１ねじ部材２２、第２ねじ部材２５及び第３ねじ部材２８は互いに略同一形状である。
【００２５】
第１ピラー端子２１は、金属板を屈曲することにより上下方向に貫通した略四角柱形状に形成されている。この第１ピラー端子２１の側壁２１ａの一面には、第１ねじ部材２２を螺合するためのねじ穴２１ｂが設けられている。また側壁２１ａと左右方向に対向する側壁２１ｃには、第１端子板２０が取り付けられている。これにより第１ピラー端子２１と第１端子板２０とが電気的に導通するようになる。
【００２６】
ここで、スイッチ装置Ａに電線が接続されるときには、電線は電線挿通孔を挿通して第１ピラー端子２１の内部に挿通される。そしてこの状態において、第１ねじ部材２２を締め付けることにより、第１ねじ部材２２の端部と第１端子板２０の第１ピラー端子２１に取り付けられた部分との間にて挟まれた状態にて固定される。これにより、第１端子板２０と電線とが電気的に導通するようになる。なお、第２端子２Ｂ及び第３端子２Ｃも同様の構成であるとともに、電線と同様に接続されるようになる。
【００２７】
操作部３は、使用者の押操作に伴い揺動するハンドル３０と、ハンドル３０に接続されるコイルばね３１と、コイルばね３１に接続される開閉素子３２と、ハンドル３０を収納するハンドルカバー３３とにより構成されている。ハンドル３０はカバー１１の内部に収納されるようにカバー１１に取り付けられ、ハンドルカバー３３はカバー１１の一部を外部から覆うように取り付けられる。
【００２８】
図２（ａ）に示すように、第１端子板２０は、第１ピラー端子２１（図１参照）の金属板より板厚の薄い金属板をプレス加工することにより成形されている。そして第１端子板２０は、左右方向の外方から内方に向かい順に電線接続部２０ａ、上部延長部２０ｂ、腕部２０ｃ及び接点部２０ｄにより構成されている。
【００２９】
電線接続部２０ａは、上下方向に沿って延び、その下方には電線と接触するとともに左右方向の内方に湾曲した接触部２０ａ１が設けられている。接触部２０ａ１の電線と接触する面には、前後方向に延びるスリット２０ａ２が上下方向に離間して複数個設けられている（図１参照）。
【００３０】
上部延長部２０ｂは、電線接続部２０ａの上端部から左右方向の内方に向かい屈曲するとともに同内方に向かい延びている。上部延長部２０ｂの前後方向の外方には、前後方向の内方に向かい凹む外方切欠部２０ｂ１が設けられ、上部延長部２０ｂの前後方向の内方には、左右方向の内方に向かうにつれて前後方向の外方に切りか欠かれる傾斜状の内方切欠部２０ｂ２が設けられている。この内方切欠部２０ｂ２には、互いに異なる傾斜角度の第１傾斜部２０ｂ３及び第２傾斜部２０ｂ４により構成されている。具体的には、第１傾斜部２０ｂ３は内方切欠部２０ｂ２の左右方向の外方に設けられ、第２傾斜部２０ｂ４は内方切欠部２０ｂ２の左右方向の内方に設けられている。そして第１傾斜部２０ｂ３の傾斜角度α１は、第２傾斜部２０ｂ４の傾斜角度α２よりも小さくなるように形成されている。
【００３１】
腕部２０ｃは、外方切欠部２０ｂ１から下方に向かい屈曲することにより成形されるとともに、前後方向の平面視において略Ｌ字形状に形成されている。この腕部２０ｃは、上下方向に沿って形成されることにより、その板厚方向は前後方向と一致するようになる。また腕部２０ｃは、電線接続部２０ａ及び上部延長部２０ｂの前後方向における最も外方の位置と略同一となるように形成されている（図２（ｂ）参照）。
【００３２】
接点部２０ｄは、腕部２０ｃの左右方向の内方の端部から前後方向の内方に向かい屈曲するとともに前後方向の内方に向かい延びている。この接点部２０ｄの前後方向の内方の部位には、左右方向に貫通する貫通孔２０ｄ１が設けられている。この貫通孔２０ｄ１には、開閉素子３２（図１参照）と接触する接点端子２０ｄ２が取り付けられている。また図２（ｃ）に示すように、接点部２０ｄは上方に向かうにつれて左右方向の内方に傾斜するように設けられている。
【００３３】
図３（ａ）に示すように、第２端子板２３は、第２ピラー端子２４（図１参照）の金属板よりも板厚の薄い金属板をプレス加工することにより成形されている。そして第２端子板２３は、左右方向の外方から内方に向かい順に電線接続部２３ａと、上部延長部２３ｂと、上部延長部２３ｂから二又に分かれる固定部２３ｃ及び接点部２３ｄとにより構成されている。なお電線接続部２３ａは、上記電線接続部２０ａと概ね形状が共通しているため、その説明を省略する。
【００３４】
上部延長部２３ｂは、電線接続部２３ａの上端部から左右方向の内方に向かい屈曲するとともに同内方に向かい延びている。上部延長部２３ｂの左右方向の内方には、固定部２３ｃ及び接点部２３ｄのそれぞれと接続するための二又に分かれる第１接続部２３ｂ１及び第２接続部２３ｂ２が設けられている。
【００３５】
固定部２３ｃと接点部２３ｄとは前後方向に配列されるとともに、固定部２３ｃは前後方向の外方に配置され、接点部２３ｄは前後方向の内方に配置されている。固定部２３ｃは、第１接続部２３ｂ１の左右方向の内方の端部から下方に向かい屈曲するとともに下方に向かい上下方向に沿って延びている。接点部２３ｄは、第２接続部２３ｂ２の左右方向の内方の端部から下方に向かい屈曲するともに下方に向かい延びている。
【００３６】
図３（ｂ）に示すように、上部延長部２３ｂの前後方向の幅Ｌ１は、電線接続部２３ａの前後方向の幅Ｌ２よりも大きく形成されている。また接点部２３ｄは、左右方向の平面視において略Ｌ字状に形成されている。そして接点部２３ｄの下方且つ左右方向の内方の部位には、左右方向に貫通する貫通孔２３ｄ１が設けられている。この貫通孔２３ｄ１には、開閉素子（図１参照）と接触する接点端子２３ｄ２が取り付けられている。
【００３７】
図４（ａ）に示すように、ボディ１０には、左右方向に延びる一対の第１周壁１０Ａと、前後方向に延びるとともにこれら第１周壁１０Ａを互いに連結する一対の第２周壁１０Ｂとが設けられている。各第１周壁１０Ａの左右方向の中央部には、前後方向の内方に向かい凹む凹部１０Ｃが設けられている。また凹部１０Ｃのうちの一方には、前後方向の外方に凹む段形状の段部１０Ｄが設けられている。
【００３８】
またボディ１０には、第１端子２Ａ〜第３端子２Ｃ（図１参照）の各ピラー端子及び各ねじ部材をそれぞれ収納するための第１収納部１０ａ〜第３収納部１０ｃがそれぞれ設けられている。またボディ１０の左右方向の中央部には、開閉素子３２（図１参照）が配置される第４収納部１０ｄが設けられている。
【００３９】
第１収納部１０ａを構成する左右方向の内方の第１内方壁部１０ｅの前後方向の中央部には、左右方向の内方に向かい延びる延長壁部１０ｆが設けられている。これら第１内方壁部１０ｅ及び延長壁部１０ｆの上端部には、凹部１０ｇが設けられている。
【００４０】
図４（ｂ）に示すように、第２収納部１０ｂを構成する左右方向の内方の第２内方壁部１０ｈの上端部には、凹部１０ｊが設けられている。また第２内方壁部１０ｈの左右方向の内方には、固定部２３ｃを保持するための有底孔である保持部１０ｋが設けられている。
【００４１】
図５（ａ）に示すように、第１端子板２０はボディ１０に以下のように収納される。即ち電線接続部２０ａは第１ピラー端子２１の側壁２１ｃの内面に当接し（図５（ｃ）参照）、上部延長部２０ｂは、凹部１０ｇの上面に当接している。腕部２０ｃは、延長壁部１０ｆと凹部１０Ｃの段部１０Ｄとの前後方向の間に形成された空間に収納されている。接点部２０ｄは、延長壁部１０ｆより左右方向の内方から前後方向の内方に回り込むように配置されている。これにより、接点部２０ｄが前後方向及び左右方向の中央部に配置されるようになる。
【００４２】
図５（ｂ）に示すように、第２端子板２３はボディ１０に以下のように収納される。即ち電線接続部２３ａは第２ピラー端子２４の側壁２４ｃの内面に当接し（図５（ｃ）参照）、上部延長部２３ｂは、凹部１０ｊの上面に当接している。接点部２３ｄは、保持部１０ｋよりも前後方向の内方に配置されることにより前後方向及び左右方向の中央部に配置されるようになる。
【００４３】
図５（ｃ）に示すように、第１端子板２０と第２端子板２３とを前後方向に結んで形成される前後方向の最大の幅Ｈ１は、第１ピラー端子２１と第２ピラー端子２４とを前後方向に結んで形成される前後方向の最大の幅Ｈ２よりも小さい。また第１ピラー端子２１及び第２ピラー端子２４及び第３ピラー端子２７のそれぞれは、凹部１０Ｃより左右方向の外方に配置されている。
【００４４】
内方切欠部２０ｂ２は、第１内方壁部１０ｅから左右方向の内方の位置に配置されている。そして第１傾斜部２０ｂ３は、左右方向において接点部２３ｄの下方に向かい延びる部位に対応し、第２傾斜部２０ｂ４は、左右方向において接点部２３ｄの前後方向の内方に向かう部位に対応している。
【００４５】
固定部２３ｃは、その下端部の側面が保持部１０ｋの内面と接触した状態にてボディ１０に保持されている。これにより、第２端子板２３の前後方向及び左右方向の移動が規制されるようになる。
【００４６】
次に図６を参照して、操作部３の押操作に伴うスイッチ装置Ａの動作について説明する。
図６に示すように、開閉素子３２の下端部は、第３端子板２６に当接している。そして開閉素子３２の上端部に接続されたコイルばね３１により、開閉素子３２は下方に向かい付勢されている。
【００４７】
図６（ａ）の状態となるようにハンドル３０が押操作されたときには、開閉素子３２は第２端子板２３と接触するように傾く。これにより第２端子板２３と第３端子板２６とが開閉素子３２を介して電気的に導通されるようになる。一方で、開閉素子３２は第１端子板２０から離間するため、第１端子板２０と第３端子板２６とは電気的に遮断されるようになる。
【００４８】
図６（ｂ）の状態となるようにハンドル３０が押操作されたときには、開閉素子３２は第２端子板２３から離れる方向に傾くとともに第１端子板２０と接触する。これにより第１端子板２０と第３端子板２６とが開閉素子３２を介して電気的に導通されるようになる。一方で、開閉素子３２は第２端子板２３から離間するため、第２端子板２３と第３端子板２６とは電気的に遮断されるようになる。
【００４９】
次に図７を参照して、スイッチ装置ＡとＢＳ規格によって規格化されたスイッチボックス（以下、「ＢＳボックス４０」）との配置態様について説明する。このＢＳボックス４０は、例えば家屋等の壁部（被取付体）にねじ部材によって取り付けられるようになる。
【００５０】
図７（ａ）に示すように、ＢＳボックス４０は、周壁４１及び底壁４２を備えるとともに上方が開口した箱状に形成されている。周壁４１には、ＢＳボックス４０の内部に向かい突出する４個の取付部４３が互いに等間隔に離間して設けられている。この取付部４３には、同取付部４３を上下方向に貫通するとともに上記ねじ部材を挿通する貫通孔４４が設けられている。
【００５１】
またスイッチ装置Ａでは、カバー１１の凹部１０Ｃと左右方向において対応する箇所には、凹部１１ａがそれぞれ設けられている。そしてハンドルカバー３３は、上方から見た平面視において略長方形状に形成されるとともに、凹部１０Ｃ及び凹部１１ａをそれぞれ上方から覆っている。
【００５２】
ＢＳボックス４０には、その前後方向に２個のスイッチ装置Ａが配列した状態にて収納されるようになる。各スイッチ装置Ａのそれぞれは、凹部１０Ｃが取付部４３と対応するように配置されている。
【００５３】
図７（ｂ）に示すように、２個のスイッチ装置Ａのうちの一のスイッチ装置Ａ（図７（ｂ）中の手前側のスイッチ装置Ａ）の凹部１０Ｃ及び凹部１１ａには、取付部４３の一部が収納されるようになる。そしてスイッチ装置ＡがＢＳボックス４０に収納された状態において、取付部４３はハンドルカバー３３よりも下方に配置されるようになる。したがって、ハンドルカバー３３と取付部４３の貫通孔４４よりも内方の一部とは上下方向に重なるように配置されている。
【００５４】
本実施形態のスイッチ装置Ａによれば、以下に示す効果を奏することができる。
（１）本実施形態では、第１端子板２０の腕部２０ｃが上部延長部２０ｂから下方に屈曲するとともに上下方向に沿って延びる構成である。したがって、腕部２０ｃの板厚方向が前後方向と一致するため、図８に示す従来構造と比較して、従来構造の上部延長部１１２に相当する腕部２０ｃの前後方向の幅を小さくすることができる。
【００５５】
その上、腕部２０ｃが上部延長部２０ｂの前後方向の外方の側縁から屈曲することにより、図８に示す従来構造と比較して、第１端子板２０と第２端子板２３との前後方向の距離を大きくすることができる。したがって、スイッチ装置Ａの前後方向の小型化を図ったとしても上記距離を確保することができる。その結果、スイッチ装置Ａの前後方向の小型化を図ることと上記距離を確保することとの両立を図ることができる。
【００５６】
また、図８に示す従来構造において、第１端子板１１０と第２端子板１２０との前後方向の距離を確保することを目的として、上部延長部１１２の前後方向の幅を小さくすることが考えられる。しかしながら、上記幅を小さくしてしまうと、上部延長部１１２における電気抵抗が増大してしまう問題がある。
【００５７】
その点、本実施形態では、腕部２０ｃの板厚方向が前後方向と一致するため、腕部２０ｃを上下方向に延ばすことにより幅を確保することができる。したがって、腕部２０ｃの電気抵抗の増大を抑制するために前後方向に延ばすことがないため、上記問題を回避することができる。
【００５８】
（２）本実施形態では、凹部１０Ｃ及び凹部１１ａに取付部４３が収納されるため、取付部４３とスイッチ装置Ａとの干渉を回避することが可能となる。したがって、従来構造では必要であったＢＳボックスの取付部を折り曲げる作業を省略することができる。その結果、ＢＳボックス４０にスイッチ装置Ａを容易に収納することができる。
【００５９】
（３）本実施形態では、取付部４３がハンドルカバー３３よりも下方に配置される構成である。したがって、ハンドルカバー３３に取付部４３との干渉を回避するための凹部を省略することができるため、スイッチ装置Ａの美観の低下を抑制することができる。
【００６０】
（４）本実施形態では、上部延長部２０ｂに外方切欠部２０ｂ１が設けられるとともに、腕部２０ｃが上部延長部２０ｂの前後方向の最外部と略同位置に設けられる構成である。したがって、第１端子板２０の前後方向の小型化を図ることと第２端子板２３との距離の確保との両立を効率よく達成することができる。
【００６１】
（５）本実施形態では、第１端子板２０が第１ピラー端子２１よりも板厚が薄い金属板にて構成されている。したがって、第１ピラー端子２１と比較して第１端子板２０をプレス加工にて成形しやすくなるため、第１端子板２０を複雑な形状に成形することが容易に行うことができる。
【００６２】
（６）本実施形態では、凹部１０Ｃが第１周壁１０Ａの上下方向の全体に亘り設けられる構成である。したがって、ＢＳボックス４０にスイッチ装置Ａを収納するときに、ボディ１０と取付部４３との干渉を確実に回避することができる。その結果、ＢＳボックス４０にスイッチ装置Ａを容易に収納することができる。
【００６３】
（７）本実施形態では、上部延長部２０ｂに内方切欠部２０ｂ２が設けられる構成である。したがって、内方切欠部２０ｂ２が形成されない上部延長部と比較して、上部延長部２０ｂと上部延長部２３ｂとの前後方向の距離を大きくすることができる。
【００６４】
（８）本実施形態では、内方切欠部２０ｂ２の第２傾斜部２０ｂ４の傾斜角度α２が第１傾斜部２０ｂ３の傾斜角度α１よりも大きく形成される構成である。したがって、傾斜角度α２が傾斜角度α１以下の第１端子板の構成と比較して、接点部２３ｄとの距離を大きくすることができる。
【００６５】
（９）本実施形態では、左右方向において内方切欠部２０ｂ２が上部延長部２０ｂの腕部２０ｃとの接続部分に設けられる構成である。したがって、内方切欠部２０ｂ２によって上部延長部２０ｂの前後方向の幅が狭くなったとしても腕部２０ｃによって実質的に第１端子板２０の幅が狭くなることが抑制される。その結果、内方切欠部２０ｂ２に起因する第１端子板２０の電気抵抗の増大を抑制することができる。
【００６６】
（１０）本実施形態では、腕部２０ｃと接点部２３ｄとの間に延長壁部１０ｆが設けられる構成である。したがって、延長壁部１０ｆが省略されたボディに第１端子板２０が収納される構成と比較して、腕部２０ｃと接点部２３ｄとの間の沿面距離を大きくすることができる。
【００６７】
（１１）本実施形態では、凹部１０Ｃに段部１０Ｄが設けられ、この段部１０Ｄに腕部２０ｃが収納される構成である。したがって、各凹部１０Ｃの外面を互いに前後方向に結ぶことにより形成される前後方向の幅Ｈ３（図５（ｃ）参照）の増大を防ぐとともに、腕部２０ｃと第２端子板２３との距離を確保することができる。
【００６８】
（１２）本実施形態では、凹部１０ｇに上部延長部２０ｂが当接する構成である。この構成によれば、凹部１０ｇを構成する内面と上部延長部２０ｂとが当接することによって上部延長部２０ｂの前後方向及び左右方向の内方への移動を規制することができる。
【００６９】
（１３）本実施形態では、第１ピラー端子２１及び第１内方壁部１０ｅを電線接続部２０ａおよび腕部２０ｃによって左右方向から挟む構成である。この構成によれば、腕部２０ｃと第１内方壁部１０ｅとが接触することにより第１端子板２０の左右方向の外方への移動が規制され、第１ピラー端子２１と電線接続部２０ａとが接触することにより第１端子板２０の左右方向の外方への移動が規制される。したがって、図８に示す従来構造の位置決め部１１４に相当する第１端子板２０に左右方向への移動を規制するための専用部位を省略することができる。その結果、従来構造の第１端子板１１０と比較して、第１端子板２０の前後方向の幅を小さくすることができる。
【００７０】
（１４）本実施形態では、第２端子板２３には固定部２３ｃと接点部２３ｄとが上部延長部２３ｂから二又に分かれるように形成される構成である。この構成によれば、第２端子板２３をボディ１０に保持する役割と、開閉素子３２の接触に対するバウンス性能を確保する役割とを分けることができる。特にバウンス性能の確保では、上部延長部２３ｂから下方に向かい屈曲して接点部２３ｄが設けられるため、開閉素子３２と接点部２３ｄとの接触による力に対して接点部２３ｄが左右方向の外方に弾性変形しやすくなる。したがって、ボディ１０に対して第２端子板２３を良好に保持すること及び接点部２３ｄのバウンス性能の確保を両立することができる。
【００７１】
一方、このような第２端子板２３では、図８に示す従来構造の第２端子板１２０と比較して、前後方向の幅が大きくなってしまう。その点、本実施形態の第１端子板２０を用いることにより、第１端子板２０及び第２端子板２３を前後方向に結んで形成される前後方向の幅Ｈ１の大きさの増大を抑制することができる。
【００７２】
（１５）本実施形態では、第１端子板２０及び第２端子板２３を前後方向に結んで形成される前後方向の幅Ｈ１は、第１ピラー端子２１及び第２ピラー端子２４を前後方向に結んで形成される前後方向の幅Ｈ２よりも小さい。したがって、第１ピラー端子２１と第２ピラー端子２４との離間する距離を確保することと、凹部１０Ｃによりスイッチ装置Ａの前後方向の小型化を図ることとを両立することができる。
【００７３】
（その他の実施形態）
本発明のスイッチ装置は、上記実施形態に限定されることなく、例えば以下の変更が可能である。また、以下の変形例は、上記実施形態についてのみ適用されるものでなく、異なる変形例同士を互いに組み合わせて実施することもできる。
【００７４】
上記実施形態では、電線と接続する端子として、第１ピラー端子２１等のピラー端子を用いたが、電線と接続する端子の構造はこれに限定されることはない。例えば、端子として、端子板とねじ部材のねじ頭との間にて電線を挟むねじ端子や端子板と電線とを半田接合にて固定する半田端子や錠ばねによって端子板に電線を押さえつける速結端子とすることもできる。
【００７５】
上記実施形態では、３路スイッチのスイッチ装置に適用したが、４路スイッチのスイッチ装置に適用することもできる。この場合には、接触子は４個用いることとなる。
上記実施形態では、スイッチ装置ＡはＢＳボックス４０に収納されたが、スイッチ装置Ａは日本工業規格等の他の規格化されたスイッチボックスに収納されてもよい。
【００７６】
上記実施形態では、第１端子板２０及び第２端子板２３及び第３端子板２６は、それぞれ第１ピラー端子２１及び第２ピラー端子２４及び第３ピラー端子２７よりも板厚の薄い金属板にて形成されたが、これら端子板の板厚はこれらピラー端子の板厚以上とすることもできる。
【００７７】
上記実施形態では、上部延長部２０ｂに外方切欠部２０ｂ１が設けられたが、この外方切欠部２０ｂ１は省略することもできる。この場合、腕部２０ｃは上部延長部２０ｂの前後方向の外方の側縁から下方に屈曲して設けられるようになる。
【００７８】
上記実施形態では、ハンドルカバー３３が略四角形状に形成された、即ちボディ１０及びカバー１１に設けられた凹部１０Ｃ，１１ａに相当する凹部を省略して形成されたが、ハンドルカバー３３にも同様に上記凹部を設けることもできる。
【００７９】
上記実施形態では、第１ピラー端子２１及び第２ピラー端子２４及び第３ピラー端子２７のそれぞれは上下方向に貫通した略四角柱形状に形成されたが、これらピラー端子は、略三角柱形状等の他の角柱形状とすることもできる。
【００８０】
上記実施形態では、凹部１０Ｃが各第１周壁１０Ａにそれぞれ設けられていたが、凹部１０Ｃは取付部４３に対応する第１周壁１０Ａにのみ設けることもできる。
【符号の説明】
【００８１】
Ａ…スイッチ装置、１…器体、２…端子部、２Ａ…第１端子、２Ｂ…第２端子、２Ｃ…第３端子、３…操作部、１０…ボディ、１０Ａ…第１周壁、１０Ｂ…第２周壁、１０Ｃ…凹部、１０Ｄ…段部、１０ａ…第１収納部、１０ｂ…第２収納部、１０ｃ…第３収納部、１０ｄ…第４収納部、１０ｅ…第１内方壁部、１０ｆ…延長壁部、１０ｇ…凹部、１０ｈ…第２内方壁部、１０ｊ…凹部、１０ｋ…保持部、１１…カバー、１１ａ…凹部、２０…第１端子板（端子部材）、２０ａ…電線接続部、２０ａ１…接触部、２０ａ２…スリット、２０ｂ…上部延長部、２０ｂ１…外方切欠部、２０ｂ２…内方切欠部、２０ｂ３…第１傾斜部、２０ｂ４…第２傾斜部、２０ｃ…腕部、２０ｄ…接点部、２０ｄ１…貫通孔、２０ｄ２…接点端子、２１…第１ピラー端子、２１ａ…側壁、２１ｂ…ねじ穴、２１ｃ…側壁、２２…第１ねじ部材、２３…第２端子板（端子部材）、２３ａ…電線接続部、２３ｂ…上部延長部、２３ｂ１…第１接続部、２３ｂ２…第２接続部、２３ｃ…固定部、２３ｄ…接点部、２３ｄ１…貫通孔、２３ｄ２…接点端子、２４…第２ピラー端子、２５…第２ねじ部材、２６…第３端子板、２７…第３ピラー端子、２８…第３ねじ部材、３０…ハンドル、３１…コイルばね、３２…開閉素子、３３…ハンドルカバー、４０…ＢＳボックス、４１…周壁（側壁部）、４２…底壁、４３…取付部、４４…貫通孔。
【図１】
0005409257.tif 000002
【図２】
0005409257.tif 000003
【図３】
0005409257.tif 000004
【図４】
0005409257.tif 000005
【図５】
0005409257.tif 000006
【図６】
0005409257.tif 000007
【図７】
0005409257.tif 000008
【図８】
0005409257.tif 000009
【図９】
0005409257.tif 000010